(57)【特許請求の範囲】
【請求項１】
開閉体を案内する枠体に固定され、開閉体の停止位置を保持する施錠装置であって、
開閉体を案内する枠体に固定した基枠と、
基枠に、開閉体の移動方向に移動可能に設けられた可動支軸と、
前記可動支軸に装着された基端部を介して回動自在であり、施錠状態では基枠から突出した突出姿勢となり、解錠状態では基枠内に収納された収納姿勢となり、弾機によって基枠から突出する方向に付勢されている回動係止体と、
前記可動支軸に装着されており、基枠に対して開閉体の移動方向に移動することで、施錠状態と解錠状態とを切り替える切替体と、
基枠に、前記可動支軸に対して回動係止体の突出方向側に設けられ、かつ、施錠状態における回動係止体の基端部に近接するように設けられたガイドピンと、
からなり、
施錠状態では突出姿勢にある回動係止体の先端部が開閉体の被係止部に係止しており、施錠状態において、前記ガイドピンは、回動係止体の基端側に当接することで当該回動係止体の突出方向の回動を許容し、
施錠状態から解錠状態への切替時には、切替体により前記可動支軸を開閉体の開放方向に移動させることで、回動係止体は、当該回動係止体が当接するガイドピン案内されて開閉体の開放方向に移動しながら弾機の付勢力に抗して回動して収納姿勢となり、解錠状態において、前記ガイドピンは、回動係止体の中間部位に当接することで当該回動係止体の突出方向の回動を規制している、
施錠装置。
【請求項２】
複数のスラットをインターロック部を介して上下に連設してなるシャッターカーテンが左右のガイドレールに案内されながら上下動して開口部を開閉するシャッター装置の施錠装置であって、
左右のガイドレールにそれぞれ固定した基枠と、
基枠に上下方向に移動可能に設けられた可動支軸と、
可動支軸に下端部が装着され、基枠に対して上下方向に移動することで、施錠状態と解錠状態とを切り替える切替体と、
可動支軸に上端部が回動自在に装着され、施錠状態では基枠から突出した突出姿勢となり、解錠状態では、基枠内に収納された収納姿勢となり、弾機により基枠から突出する方向に付勢されている回動係止体と、
基枠に、前記可動支軸に対して回動係止体の突出方向側に設けられ、かつ、施錠状態における回動係止体の基端部に近接するように設けられたガイドピンと、
からなり、
施錠状態では突出姿勢にある回動係止体の先端部がシャッターカーテンのスラットに係止しており、施錠状態において、前記ガイドピンは、回動係止体の基端側に当接することで当該回動係止体の突出方向の回動を許容し、
施錠状態から解錠状態への切替時には、切替体による可動支軸の上動によって、回動係止体は、当該回動係止体が当接するガイドピンに案内されて上動しながら弾機の付勢力に抗して回動して収納姿勢となり、解錠状態において、前記ガイドピンは、回動係止体の中間部位に当接することで当該回動係止体の突出方向の回動を規制している、
施錠装置。
【請求項３】
前記基枠には、施錠状態、解錠状態にそれぞれ対応する位置に係合受部が形成されており、前記切替体には各係合受部に係合する係合部が形成されている、請求項１あるいは２に記載の施錠装置。
【発明の詳細な説明】
【技術分野】
【０００１】
本発明は、開口部を開閉する開閉体の停止状態を保持する施錠装置に係り、好適には、シャッター装置の施錠構造に関するものである。
【背景技術】
【０００２】
建物開口部や窓開口部に設置されるシャッター装置の施錠構造として、本出願人は、特許文献１を出願している。特許文献１に開示された施錠装置は、ガイドレール内に配設される回動係止体を有し、当該回動係止体は、突出姿勢（施錠状態）と収納姿勢（解錠状態）との間で回動可能となっている。シャッターカーテンの通常の開閉作動時には、回動係止体は収納姿勢となって、シャッターカーテンの開閉作動に支障を来たすことが無く、開口部全閉状態の施錠時には、回動係止体が突出姿勢となって、突出する回動係止体の先端がシャッターカーテンに係止することでシャッターカーテンの持ち上げを防止する。上記施錠装置を、座板錠に加えて設けることで、防犯機能がより向上される。
【０００３】
特許文献１における回動係止片１１´の先端は、図１３に示すように円弧を描いて回動するため、回動係止片が突出姿勢から収納姿勢へ回動する時には、シャッターカーテンを押し下げるようにして回動する。シャッターカーテンは、巻取体に内蔵されたスプリングによって上がり勝手となっていることから、回動係止体を突出姿勢から収納姿勢に切り替える前に、座板錠を先に解錠したような場合には、回動係止体先端の回動方向に抗する方向に力が作用して、突出姿勢から収納姿勢への切り替え操作をスムーズに行うことができないおそれがある。
【０００４】
したがって、特許文献１に開示された施錠装置をさらに改良することで、回動係止体の突出姿勢から収納姿勢への切り替え操作をスムーズに行うようにすることが望まれる。また、シャッター装置に用いる施錠装置に限らず、開口部の面方向に移動して当該開口部を開閉する開閉体に用いる施錠装置においても、開閉体が開き勝手となっているような場合には、回動係止体の突出姿勢から収納姿勢への切り替え操作をスムーズに行うことは有用である。
【特許文献１】特開２００５−１８０１２９
【発明の開示】
【発明が解決しようとする課題】
【０００５】
本発明は、突出姿勢と収納姿勢との間で切り替え可能な回動係止体を備えた施錠装置において、回動係止体の突出姿勢から収納姿勢への切り替え操作をスムーズに行うことを目的とするものである。
【課題を解決するための手段】
【０００６】
本発明は、開閉体を案内する枠体に固定され、開閉体の停止位置を保持する施錠装置であって、基端部を介して回動自在であり、施錠状態では突出姿勢となり、解錠状態では収納姿勢となる回動係止体と、回動係止体の基端部に連繋されており、開閉体の移動方向に移動することで、施錠状態と解錠状態とを切り替える切替体と、からなり、施錠状態では突出姿勢にある回動係止体の先端部が開閉体の被係止部に係止し、施錠状態から解錠状態への切替時には、切替体を開閉体の開放方向に移動させることで、回動係止体は、開閉体の開放方向に移動しながら回動して収納姿勢となる。一つの態様では、回動係止体と切替体とは支軸を介して連繋される。
【０００７】
一つの好ましい態様では、前記開閉体は、シャッターカーテンであり、開閉体の被係止部はスラットであるが、本発明に係る開閉体は、シャッターカーテンに限定されず、その面方向に移動して開口部を開閉する開閉体であればよい。開閉体は上下方向に移動するものでも、左右方向に移動するものでもよく、また、垂直方向に延出するものでも、水平方向に延出するものでもよい。また、本発明に係る施錠装置は、開き勝手（シャッターカーテンであれば上がり勝手）となっている開閉体に対して特に有効である。
【０００８】
本発明の１つの技術手段では、前記施錠装置は、開閉体を案内する枠体に固定した基枠と、基枠に、開閉体の移動方向に移動可能に設けられた可動支軸と、前記可動支軸に装着された基端部を介して回動自在であり、施錠状態では基枠から突出した突出姿勢となり、解錠状態では基枠内に収納された収納姿勢となり、弾機によって基枠から突出する方向に付勢されている回動係止体と、前記可動支軸に装着されており、基枠に対して開閉体の移動方向に移動することで、施錠状態と解錠状態とを切り替える切替体と、基枠に、前記可動支軸に対して回動係止体の突出方向側に設けられ、かつ、施錠状態における回動係止体の基端部に近接するように設けられたガイドピンと、からなり、施錠状態では突出姿勢にある回動係止体の先端部が開閉体の被係止部に係止しており、施錠状態において、前記ガイドピンは、回動係止体の基端側に当接することで当該回動係止体の突出方向の回動を許容し、施錠状態から解錠状態への切替時には、切替体により前記可動支軸を開閉体の開放方向に移動させることで、回動係止体は、当該回動係止体が当接するガイドピン案内されて開閉体の開放方向に移動しながら弾機の付勢力に抗して回動して収納姿勢となり、解錠状態において、前記ガイドピンは、回動係止体の中間部位に当接することで当該回動係止体の突出方向の回動を規制している。
【０００９】
本発明の他の技術手段は、複数のスラットをインターロック部を介して上下に連設してなるシャッターカーテンが左右のガイドレールに案内されながら上下動して開口部を開閉するシャッター装置の施錠装置であって、左右のガイドレールにそれぞれ固定した基枠と、基枠に上下方向に移動可能に設けられた可動支軸と、可動支軸に下端部が装着され、基枠に対して上下方向に移動することで、施錠状態と解錠状態とを切り替える切替体と、可動支軸に上端部が回動自在に装着され、施錠状態では基枠から突出した突出姿勢となり、解錠状態では、基枠内に収納された収納姿勢となり、弾機により基枠から突出する方向に付勢されている回動係止体と、基枠に、前記可動支軸に対して回動係止体の突出方向側に設けられ、かつ、施錠状態における回動係止体の基端部に近接するように設けられたガイドピンと、からなる。施錠状態では突出姿勢にある回動係止体の先端部がシャッターカーテンのスラットに係止しており、施錠状態において、前記ガイドピンは、回動係止体の基端側に当接することで当該回動係止体の突出方向の回動を許容し、施錠状態から解錠状態への切替時には、切替体による可動支軸の上動によって、回動係止体は、当該回動係止体が当接するガイドピンに案内されて上動しながら弾機の付勢力に抗して回動して収納姿勢となり、解錠状態において、前記ガイドピンは、回動係止体の中間部位に当接することで当該回動係止体の突出方向の回動を規制している。好ましくは、被係止部は、シャッターカーテンのスラットのインターロック部であるが、スラット自体（例えば、スラットが凹部を形成するような形状を有している）に回動係止体を係止させるものでもよい。
【００１０】
一つの好ましい態様では、前記基枠には、施錠状態、解錠状態にそれぞれ対応する位置に係合受部が形成されており、前記切替体にはそれぞれの係合受部に選択的に係合する係合部が形成されている。こうすることで、施錠状態、解錠状態において、開閉体の移動方向に移動可能な部材である回動係止体や切替体の移動を規制することができ、特に、回動係止体や切替体が上下方向に移動可能な場合には有用である。さらに、一つの好ましい態様では、前記係合受部は基枠に形成された開口部であり、前記係合部は板状の係合部であり、切替体は、支軸に対して回動可能に装着されており、係合受部と係合部との係合状態では、開口部を形成する端面と板状係合部の端面とが当接することで、基枠に対する切替体の移動を規制し、切替体を、支軸を介して回動させることで、前記係合状態を解除する。こうすることで、基枠の板厚内で省スペースで係合状態を得るものでありながら、施錠装置として耐え得る十分な強度を確保できる。さらに好ましくは、バネ材によって、開口部からなる係合受部と板状係合部との係合状態を保持させ、切替時には、バネ材によるバネ力に抗して切替体を回動させる。
【発明の効果】
【００１１】
本発明では、施錠状態から解錠状態への切替操作時には、回動係止体は、開閉体の開放方向に移動しながら回動するため、回動係止体の先端は開閉体の被係止部から開放方向に離れるように移動するので、開閉体が開き勝手の場合であっても、回動係止体の突出姿勢から収納姿勢への切り替え操作をスムーズに行うことができる。
【発明を実施するための最良の形態】
【００１２】
図１は、窓開口部に設置された手動シャッター装置１の全体正面図であって、２は複数のスラット２ａ、２ａ…をインターロック部２ｂ、２ｂ…を介して連結してなるシャッターカーテン、３は図示しない巻取ドラムを内装したシャッターケース、４、４は上記シャッターカーテン２の左右両端部を呑み込む後述するガイド溝５、５を形成して離間対向する左右のガイドレールであり、シャッターケース３内の巻取ドラムの回転によってシャッターカーテン２をガイドレール４、４に沿って昇降移動させて窓開口部１を開閉するよう構成されている。
【００１３】
シャッター装置１は、二つの施錠装置７，８を有している。施錠装置７は、シャッターカーテン２の最下部に位置する座板６に設けた施錠操作部７ａと、左右のガイドレール４、４の下端に設けたラッチ掛かり７ｂ、７ｂと、ラッチ掛かり７ｂ、７ｂに係脱自在に出没する係止杆７ｃ、７ｃと、から構成されている。施錠装置８は、ガイドレール４、４に装着されている。施錠装置８は、ガイドレール４の下方の座板６に近い部位（施錠装置７と干渉しない位置）からガイドレール４の上方のまぐさ部に近い部位の間のいずれの部位に設けることが可能である。一つの好ましい態様では、施錠装置８は、施錠・解錠操作が容易である部位（例えば、ガイドレール４の下端から高さ方向中央部位の間の部位）を選択して装着される。図２に示すように、ガイド溝５を形成する対向する側壁５ａ、５ｂのうち、屋内側Ａに位置する側壁５ａの内面から屋外側の対向する側壁５ｂの内面に向かって出没自在な回動係止体１１を有する施錠装置８を各ガイドレール４、４の中間部位にそれぞれ装着する。各施錠装置８、８に対する屋内側Ａからの操作つまみ１７，１７による閉操作で、突出した回動係止体１１の先端縁を、ガイドレール４、４内に呑み込まれたシャッターカーテン２の両端部のインターロック部２ｂ、２ｂに係止させる。操作つまみ１７は、ガイドレール４の屋内側に位置する側壁５ａの外面で上下スライド可能に構成されている。操作つまみ１７は、ガイドレール４の側壁５aの外面に位置するものに限定されず、屋内側から操作可能であれば、ガイドレール４の正面壁や底壁に位置させてもよい。尚、４０，４０はシャッター装置１を設置する窓開口部において出窓形式とする場合に、図示しない窓枠およびシャッター装置１を建物の躯体外方に持ち出す構成で採用される補助縦枠である。シャッターカーテン２の全閉時には、それぞれの施錠機構７，８を施錠することで、シャッターカーテン２の持ち上げを防止する。本発明に係る実施例は、特許文献１に開示された施錠装置をさらに改良するものであって、施錠装置８の基本的な機能や取付位置、作用効果については、特許文献１の記載を参照することができる。また、施錠装置８と組み合わせて用いられる施錠装置７は図示のものには限定されず、施錠装置８は単独で施錠装置を構成することもできる。
【００１４】
施錠装置８は、ガイドレール４へ取り付けられる基枠を構成する外枠９、内枠１０、回動係止体１１、切替体１２、回動係止体１１の回動支点を構成する支軸１３、外枠９に固定されたガイドピン１４及びピン１５、内枠１０に固定されたバネ材１６、切替体１２に固定された操作つまみ１７、回動係止体１１を突出方向に付勢するコイル弾機１８から構成されている。施錠装置８は、外枠９を介してガイドレール４に装着される。施錠装置８は、ガイド溝５を形成する対向する側壁５a,５ｂのうち、屋内側に位置する側壁５aの内面に取り付けられる。施錠装置８の回動係止体１１は、側壁５aの内面から屋外側Ｂの側壁５ｂ内面に対して出没自在である。回動係止体１１は、屋内側Ａからの閉操作によって屋外側Ｂの側壁５ｂの内面に向かって突出し、回動係止体１１の先端部がガイドレール４内に呑み込まれたシャッターカーテン２の両端部のインターロック部２ｂ、２ｂに係止することで、全閉時におけるシャッターカーテン２の上動を規制する。外枠９は基枠として、ガイドレール４の側壁５aの内面に立姿状に装着され、内枠１０、回動係止体１１、切替体１２、バネ材１６（内枠１０に装着されている）、操作つまみ１７（切替体１２に装着されている）、コイル弾機１８（支軸１３に装着されている）は、支軸１３（外枠９に上下方向に移動自在に設けてある）を介して、外枠９に対して上下方向に移動可能に装着されている。以下、施錠装置８の各構成要素について説明する。
【００１５】
図７に示すように、外枠９は、縦長の部材であり、縦長の板状底部９０と左右の板状側部９１，９１とから形成され、断面視略コ字形状を有している。底部９０の上下部位には取付用の螺子孔９００，９００が形成されている。外枠９は、螺子孔９００，９００を介して、螺子を用いて、ガイドレール４の側壁５aの内面に固定される。対向状の左右の側部９１の長さ方向中間部位から下方にかけて、ガイド長孔９２が形成されている。ガイド長孔９２は、側部９１において、底部９０寄り（屋内側）に位置して形成されている。左右の側部９１の長さ方向中間部位から上方にかけて、側部９１の底部９０から離隔する側（屋外側）の部位を絞るようにしてガイド面９３が形成されていると共に、側部９１のガイド面９３の底部側（屋内側）の部位には切り欠き部９４が形成されている。側部９１を絞って形成したガイド面９３は、切替体１２を、振れを抑えながら上下に案内する役割を有する。尚、切替体１２の移動時の振れを抑える手段は、このようなガイド面９３に限定されるものではなく、切替体１２側にガイド突起のようなものを形成してもよい。底部９０の長さ方向中間部位から上方にかけて、ガイド面９３、切り欠き部９４に対応して、係止受部９５が形成されている。係止受部９５は、横長方形状の上側開口部９５０と、横長方形状の下側開口部９５１と、上側開口部９５０と下側開口部９５１を隔てる水平片９５２とからなる。
【００１６】
図８に示すように、内枠１０は、外枠９に比べて短尺の部材であり、方形の板状底部１００と左右の板状側部１０１，１０１とから形成され、断面視略コ字形を有している。内枠１０は外枠９内を外枠９の長さ方向にスライド可能なように装着される。外枠９及び内枠１０は、外枠９内に内枠１０を受け入れた状態で、内枠１０の左右の側部１０１，１０１の外面が、外枠９の左右の側部９１，９１の内面に近接するような寸法に形成されている。内枠１０は、支軸１３を介して、回動係止体１１および切替体１２と連結されており、回動係止体１１及び切替体１２は、内枠１０と共に、外枠９に対して上下に移動可能となっている。
【００１７】
図９に示すように、回動係止体１１は、板状の本体１１０と左右の側部１１１，１１１とから構成されており、左右の側部１１１の上端側は本体１１０の上端よりも若干突出しており、突出部には支軸１３を挿通させる挿通孔１１２が形成されている。回動係止体１１は上方側（基端側）の挿通孔１１２に挿通された支軸１３を回動支点として、突出姿勢と収納姿勢との間で回動自在となっている。突出姿勢において、本体１１０の下方側の先端がスラット２aのインターロック部２ｂに係止することで施錠状態となる。回動係止体１１は、回動係止体１１の本体１１０と内枠１０の底部１００との間に介在させたコイル弾機１８により屋外側Ｂの側壁５ｂに向けて回動自在に弾持される。
【００１８】
図１０に示すように、切替体１２は、対向状の左右の側部１２０，１２０と、側部１２０の上方部位に、左右の側部１２０を連結するように一体形成された板状の係合部１２１とを有する。側部１２０は、屋内側から屋外側へ延出する板状部であり、側部１２０の屋外側端縁の上方部位は、屋外側（回動係止体１１の突出方向）に突成しており、幅広状に形成されている。板状の係合部１２１は、側部１２０の屋内側端縁よりも、屋内側に偏倚して位置しており、板状の係合部１２１は、その板厚分、側部１２０よりも屋内側に突出している。左右の側部１２０の下方部位には、支軸１３を挿通させる挿通孔１２２が形成されている。切替体１２の下端部は、支軸１３に回動自在に装着されており、切替体１２は、支軸１３を介して外枠９に対して移動自在（上下方向及び回動）に構成されている。切替体１２を外枠９に対して上下動させて支軸１３を上下動させることで、施錠状態と解錠状態とを切り替えるようになっている。左右の側部１２０の上方部位には、螺子孔１２３，１２３が形成されている。係合部１２１にも螺子孔１２４が形成されている。いずれかの螺子孔１２３，１２４を用いて少なくとも一つの操作つまみ１７が切替体１２に連結される。係合部１２１は、外枠９の底部９０に形成された上側開口部９５０と下側開口部９５１にそれぞれ係合するような寸法に形成されている。切替体１２は下端の支軸１３を介して回動可能であり、切替体１２を回動させることで、係合部１２１と上側開口部９５０、下側開口部９５１とを係脱させる。
【００１９】
内枠１０の底部１００には、バネ材１６が装着されている。図１１に示すように、バネ材１６は板バネ材であって、バネ材１６の上端側は、内枠１０の底部１００の上端縁よりも上方に突出しており、湾曲状の押圧面１６０に形成されている。バネ材１６の押圧面１６０は係合部１２１に当接しており、係合部１２１と上側開口部９５０ないし下側開口部９５１との係合状態を維持するように、係合部１２１を押圧している。すなわち、バネ材１６は、下端部の支軸１３を介して回動自在である切替体１２の回動を規制している。尚、バネ材１６の上方部位の幅方向中央部位は、切替体１２の板状の係合部１２１に形成された螺子孔１２４に対応して切り欠かれている。実施例では板バネ材からなるバネ材１６を示したが、バネ材１６は板バネ材に限定されるものではなく、線状のバネ材から所望の形状に形成されたバネ材であってもよい。
【００２０】
外枠９の側部９１に形成した左右のガイド長孔９２間には、水平状に延出する支軸１３の両端が軸支されており、支軸１３は、縦長のガイド長孔９２に沿って外枠９の長さ方向（上下方向）に移動可能となっている。支軸１３は、内枠１０の左右の側辺１０１、切替体１２の左右の側辺１２０の下端部位、回動係止体１１の左右の側辺１１１の上端部位を貫通しており、回動係止体１１は、基端側に位置する支軸１３を介して外枠９に対して回動可能となっている。支軸１３の上下動に伴って、内枠１０、回動係止体１１、切替体１２も上下動する。支軸１３には、コイル弾機１８が巻装されており、コイル弾機１８の中央部位の突出部１８０が回動係止体１１の本体１１０の裏面に、コイル弾機１８の両端部１８１が内枠１０の底部１００に、それぞれ当接しており、回動係止体１１は、コイル弾機１８の弾発力によって外枠９から突出する方向に付勢されている。
【００２１】
外枠９の左右の側部９１間には、底部９０から離隔した側（屋外側）に、外枠９の長さ方向（上下方向）に間隔を存して水平状に延出するガイドピン１４，ピン１５が設けてある。外枠９の側部９１において、支軸１３は底部９０寄り（屋内側）に位置して設けられ、ガイドピン１４、ピン１５は、支軸１３に対して回動係止体１１の突出方向側（屋外側）に設けられている。下側のガイドピン１４は、施錠状態における回動係止体１１の本体１１０の基端部に近接するような位置に設けられ、施錠状態では回動係止体１１の突出方向の回動を許容し、解錠状態では回動係止体１１の突出方向の回動を規制する。より具体的には、ガイドピン１４は、回動係止体１１が突出姿勢にある施錠状態では、回動係止体１１の本体１１０の基端側（上端側）の面部に当接し、回動係止体１１が収納姿勢にある時には、回動係止体１１の本体１１０の面部の中間部位に当接するような位置に設けてある。ガイドピン１４は断面視円形状であり、回動係止体１１が突出姿勢から外枠９内に退避する時に、支軸１３を介して回動係止体１１が上動されると、回動係止体１１の本体１１０がガイドピン１４の周面に当接し案内されながら、回動係止体１１は上動しながら突出姿勢から閉じる方向に回動していき、回動係止体１１は外枠９内に引き込まれて収納姿勢となり、回動係止体１１の突出方向への回動はガイドピン１４によって規制される。上側のピン１５は、内枠１０、切替体１２の上端側の浮き上がりを防止する機能を有する。
【００２２】
図３、図６左図は、施錠状態にある施錠装置を示している。施錠状態では、内枠１０、回動係止体１１、切替体１２は、外枠９に対して、下動した位置にあり、かつ、回動係止体１１は外枠９から突出するように回動した突出姿勢となっている。施錠状態において、切替体１２の係合部１２１は、外枠９の底部９０に形成された下側開口部９５１内に係合しており、バネ材１６の押圧部１６０によって、下側開口部９５１内における係合部１２１の係合状態が維持される。係合状態では、係合部１２１の上側の端面は、外枠９の底部９０に形成された水平片９５２の下側の端面（下側開口部９５１の上側の端面）に面同士で当接することで、切替体１２の上動が規制される。
【００２３】
施錠状態では、支軸１３は、外枠９の側部９１に形成されたガイド長孔９２の下端に位置しており、回動係止体１１の本体１１０は、ガイドピン１４による回動規制から自由となって、回動係止体１１は、コイル弾機１８の弾発力によって、支軸１３を介して、外枠９から突出する方向に回動する。突出姿勢であっても、回動係止体１１の本体１１０の上端部位がガイドピン１４に当接しており、突出姿勢から収納姿勢への切替時における、ガイドピン１４による、回動係止体１１のガイドをスムーズに行うようになっている。
【００２４】
図４、図６右図は、解錠状態にある施錠装置を示している。解錠状態では、内枠１０、回動係止体１１、切替体１２は、外枠９に対して、上動した位置にあり、かつ、回動係止体１１は外枠９内に収納された収納姿勢となっている。解錠状態において、切替体１２の係合部１２１は、外枠９の底部９０に形成された上側開口部９５０内に係合しており、バネ材１６の押圧部１６０によって、上側開口部９５０内における係合部１２１の係合状態が維持される。係合状態では、係合部１２１の下側の端面は、外枠９の底部９０に形成された水平片９５２の上側の端面（上側開口部９５０の下側の端面）に当接することで、切替体１２の下動が規制される。
【００２５】
解錠状態では、支軸１３は、外枠９の側部９１に形成されたガイド長孔９２の上端に位置しており、回動係止体１１の本体１１０の面部が、ガイドピン１４に当接することで、コイル弾機１８の弾発力による突出方向の回動が規制されている。
【００２６】
切替体１２には、切替体１２を介して施錠装置を、解錠状態と施錠状態とに切り替えるための操作つまみ１７が装着されている。操作つまみ１７によって、バネ材１６の押圧部１６０の押圧力に抗して、切替体１２を下端の支軸１３を介して屋外側へ回動させることで、切替体１２の係合部１２１と外枠９の外部９０に形成した上側開口部９５０ないし下側開口部９５１との係合状態を解除して、内枠１０、回動係止体１１、切替体１２の移動規制を解除し、操作つまみ１７を上動あるいは下動させることで、外枠９に対して、切替体１２、内枠１０、回動係止体１１を上動あるいは下動させる。
【００２７】
平常時のシャッターカーテン２の昇降時には、操作つまみ１７は上方に押し上げられた「開」位置にあり、施錠装置８は解錠状態であり、切替体１２の係合部１２１が上側開口部９５０に係合して解錠状態が保持される。上述のように、解錠状態では、回動係止体１１は、外枠９内に退避した収納姿勢となっており、ガイドレール４内を昇降移動するシャッターカーテン２の通常の開閉作動に支障を来すことがない。
【００２８】
シャッターカーテン２を全閉状態で施錠する場合は、座板６に設けた施錠装置７の施錠と共に、ガイドレール４に設けた施錠装置８の操作つまみ１７により切替体１２を回動させて切替体１２の係合部１２１と上側開口部９５０との係合状態を解除し、さらに、操作つまみ１７を下方に押し下げて「閉」位置に切り替えることで、施錠状態となる。この時、操作つまみ１７の下方への移動により、切替体１２、内枠１０、回動係止体１１も外枠９に案内されて下方へ移動し、回動係止体１１が下方に移動すると、回動係止片１１の本体１１０の面部に対するガイドピン１４の当接が解除されて、回動係止体１１が支軸１３を回動支点としてコイル弾機１８の付勢力により対向する側壁５b側に向かって回動して突出姿勢となる。操作つまみ１７が「閉」位置となる施錠状態では、切替体１２の係合部１２１は下側開口部９５１と係合状態となる。そして、外枠９から突出する回動係止体１１の先端部が、施錠装置８の近傍に位置する上下のスラット２a間のインターロック部２ｂに当接し、施錠装置８が施錠状態を保持することになる。
【００２９】
二つの施錠装置７，８により施錠状態となっているシャッター装置に対して、座板６と下枠との間の隙間にバール、鉄棒等を差し込みことにより、第１施錠装置７を破壊したとしても、全閉状態にあるシャッターカーテン２を持ち上げようとした際、施錠装置８の近傍に位置する上位スラットの裏面に当接していた回動係止体１１の先端縁が、下位スラットとのインターロック部２ｂに上方から係止され、シャッターカーテン２を持ち上げようとしても、シャッターカーテン２は閉鎖状態を保持したままとなる。
【００３０】
施錠装置を、施錠状態から解錠状態とする場合は、操作つまみ１７により切替体１２を回動させて切替体１２の係合部１２１と下側開口部９５１との係合状態を解除し、さらに、操作つまみ１７を上方に押し上げて「開」位置に切り替える。この時、操作つまみ１７の上方への移動により、切替体１２、内枠１０、回動係止体１１が上方に移動される。施錠状態から解錠状態への切替時には、切替体１２の上動に伴う支軸１３の上動によって、回動係止体１１は本体１１０の面がガイドピン１４に当接し、案内されながら、回動係止体１１が支軸１３を回動支点としてコイル弾機１８の付勢力に抗する方向に回動しながら上動して、外枠９内に引き込まれていく。「開」状態では、切替体１２の係合部１２１は上側開口部９５０と係合状態となる。解錠操作時には、回動係止体１１は外枠９に対して上動しながら突出姿勢から閉じる方向に回動するので、回動係止体１１の先端は上方（シャッターカーテンの開放方向）に移動しながら回転して、図１２に示すような移動軌跡を辿り、スムーズな解錠操作が可能となる。
【産業上の利用可能性】
【００３１】
本発明は、シャッター装置の施錠装置に利用することができる。
【図面の簡単な説明】
【００３２】
【図１】シャッター装置の屋内側から見た全体正面図である。
【図２】（ａ）は施錠機構の一部省略要部拡大正面図、（ｂ）は同上要部断面図である。
【図３】施錠状態にある施錠装置を示す図である。
【図４】解錠状態にある施錠装置を示す図である。
【図５】施錠状態にある施錠装置の正面図及び背面図であり、内部の構成部材を点線で示す。
【図６】左図は、施錠状態にある施錠装置の側面図、右図は、解錠状態にある施錠装置の側面図であり、内部の構成部材を点線で示す。
【図７】外枠を示す部品図である。
【図８】内枠を示す部品図である。
【図９】回動係止体を示す部品図である。
【図１０】切替体を示す部品図である。
【図１１】バネ材を示す部品図である。
【図１２】施錠状態から解錠状態への回動係止体、切替体の動きを示す図である。
【図１３】従来の施錠装置の回動係止体の回動軌跡を示す図である。
【符号の説明】
【００３３】
２  シャッターカーテン
２a  スラット
２ｂ  インターロック部
８  施錠装置
９  外枠
１０  内枠
１１  回動係止体
１２  切替体
１３  支軸
１４  ガイドピン
１５  ピン
１６  バネ材
１７  操作つまみ
１８  コイル弾機
【図１】
0004693535.tif 000002
【図２】
0004693535.tif 000003
【図３】
0004693535.tif 000004
【図４】
0004693535.tif 000005
【図５】
0004693535.tif 000006
【図６】
0004693535.tif 000007
【図７】
0004693535.tif 000008
【図８】
0004693535.tif 000009
【図９】
0004693535.tif 000010
【図１０】
0004693535.tif 000011
【図１１】
0004693535.tif 000012
【図１２】
0004693535.tif 000013
【図１３】
0004693535.tif 000014